(57)【特許請求の範囲】
【請求項１】
収穫後の大麦に含まれる穂軸付き粒から穂軸を除去するための穂軸除去装置であって、
回転駆動するゴム製ロールの一方を固定側ロールとし、回転駆動するゴム製ロールの他方を移動側ロールとなした左右一対のゴム製ロールと、
該左右一対のゴム製ロールの回転軸の中心を結ぶ線上で前記移動側ロールを前記固定側ロールに近づけて該ロール表面を互いに緊密的に面接触させるロール近接手段と、
前記緊密的に面接触させた左右一対のゴム製ロール間に所定の間隙を形成して穂軸を離脱するよう前記移動側ロールを前記固定側ロールから遠ざけるロール間隙形成手段と、
前記左右一対のゴム製ロール間に供給する穀物の種類を設定する品種設定手段と、
前記品種設定手段に大麦が選択された場合、ロール間隙に穂軸付き粒を供給して穂軸の離脱が可能となるように前記ロール間隙形成手段を作動させる制御手段とを備え、
前記ロール近接手段は、支点を中心に回動可能となる回動レバーに前記移動側ロールの移動軸が取り付けられ、機枠に固定されたエアシリンダの可動ロッド部が収縮されると、前記移動側ロールが固定側ロールに近づくよう移動し面接触されるように構成されたものであり、
前記ロール間隙形成手段は、内部にねじ溝が形成され、かつ、前記ロール近接手段の回動レバーを固定側ロールと反対方向へ回動させる押圧ロッドと、該押圧ロッドに内装され、かつ、前記押圧ロッドのねじ溝に螺合させるねじ山が形成されたねじ軸と、該ねじ軸と軸着され、該ねじ軸の回転を行うギアモータとにより構成され、さらに、前記押圧ロッドと前記ねじ軸との供回りを防止するための鍔部と、押圧ロッドの移動量の上限値を検知するリミットスイッチと、前記押圧ロッドの移動量の下限値を検知するためのリミットスイッチと、押圧ロッドに取り付けた移動量検知片と、を備えたことを特徴とする大麦の穂軸除去装置。
【発明の詳細な説明】
【技術分野】
【０００１】
本発明は、大麦の穂軸付き粒から穂軸を除去して整粒の歩合を増やすことのできる大麦の穂軸除去装置に関する。
【背景技術】
【０００２】
アルコール飲料としてのビールは、その原料が大麦であり、例えば、ビール大麦や二条大麦がよく知られている。収穫期は６〜８月頃であり、麦の穂が黄金色になってから約１週間後が収穫適期となる。収穫はコンバインにより行われるが、該コンバインの刈取部（デバイダ、リール及び刈刃）では麦の穀稈の刈取りが行われる一方、コンバインの脱穀部（こぎ胴、コンケーブ及びリヤビータ）では麦の穀稈から実の部分だけを取り外す脱穀が行われる。脱穀された麦の実は、トラックに積載された後、圃場から穀物共同乾燥調製施設へ運ばれて、該施設にて乾燥・調製作業が行われる。
【０００３】
穀物共同乾燥調製施設においては、荷受・計量した後、麦のサンプルを一部採取し、品質チェックが行われる。品質チェックが終了すれば、荷受ホッパから揚穀機などを介して粗選機に投入され、原料麦に混入するわらごみ、殻、莢（さや）、土砂、麻ひもなどの粗大異物が取り除かれる。そして、揚穀機などを介して一時貯留タンクなどを経て穀物乾燥機に投入されて麦の乾燥が行われる。
【０００４】
穀物乾燥機においては、急速乾燥や高温乾燥を避けるよう、乾燥速度は０．６％／ｈ以下、熱風温度はだいたい４５℃以下とし、所定の水分まで乾燥が行われる。そして、大麦の場合は、殻や「ふ」を除く籾摺工程は不要であるため、乾燥工程後はすぐに風選別・揺動選別・粒径選別による精選工程が行われることになる。この精選工程における粒径選別では、例えば、ビール大麦の場合は選別網筒の網目が２．５ｍｍ、二条大麦の場合は網目が２．３ｍｍを基準とした篩処理が行われる。このとき、整粒歩合はビール大麦の場合９５％以上に仕上げることを目標にされる。
【０００５】
上記のようにビール大麦の場合、整粒歩留を９５％以上とする必要があるが、実際には、整粒中に麦藁（わら）や穂軸付き粒が混入することがあり、これらが異物とみなされ、整粒から除去される（図８は整粒に混入している穂軸付き粒を示す。全粒の約５％程度が穂軸付き粒である。）。例えば、農協（ＪＡ）や団体（米麦改良協会）などでは、農家や生産者に対して整粒中に麦藁や穂軸付き粒が混入しないよう品質管理を徹底することもある（例えば、非特許文献１参照）。
【０００６】
しかし、整粒中に麦藁や穂軸付き粒が混入する原因は、圃場でのコンバインの脱穀部（こぎ胴、コンケーブ及びリヤビータ）における脱穀不良か、又は、選別部（圧風ファン、チャフシーブ）における選別不良に起因することもあり、共乾施設の精選工程における選別網筒の網目の目幅を狭めて合格基準を厳しくすることは、歩留りの低下につながる。
【０００７】
一方、麦の精選について言及すれば、籾摺選別機を利用して麦粒から穀稈切れ等の異物を分離選別する機械も存在する（例えば、特許文献１参照）。このものは、麦の精選を行うときは、籾米の籾摺作業のときよりもロール間隙の距離を大きく開拡して、脱ぷ処理は行わず、揺動選別部のみを利用して麦粒の揺動選別処理を行うものである。しかしながら、このような揺動選別処理では整粒から穂軸付き粒を選別することはできるが、上記同様に、穂軸付き粒が異物とみなされて、整粒から除去されるので、整粒歩合の低下につながる。
【先行技術文献】
【非特許文献】
【０００８】
【非特許文献１】種子場農業協同組合・（社）栃木県米麦改良協会、「麦種子生産者のみなさん  異品種、異物（麦わら・穂じく）混入がなく、発芽力の優れた種子の出荷を！」、［平成２７年９月２５日検索］、インターネット＜URL：http://tochigi-beibaku.or.jp/data/hinshitsu/02.pdf＞
【特許文献】
【０００９】
【特許文献１】特開２０００−６１３３１号公報
【発明の概要】
【発明が解決しようとする課題】
【００１０】
本発明は上記問題点にかんがみ、大麦の穂軸付き粒から穂軸を除去して整粒の歩合を増やし、歩留りの向上に寄与することのできる大麦の穂軸除去装置を提供することを技術的課題とする。
【課題を解決するための手段】
【００１１】
上記課題を解決するため本発明は、収穫後の大麦に含まれる穂軸付き粒から穂軸を除去するための穂軸除去装置であって、
回転駆動するゴム製ロールの一方を固定側ロールとし、回転駆動するゴム製ロールの他方を移動側ロールとなした左右一対のゴム製ロールと、
該左右一対のゴム製ロールの回転軸の中心を結ぶ線上で前記移動側ロールを前記固定側ロールに近づけて該ロール表面を互いに緊密的に面接触させるロール近接手段と、
前記緊密的に面接触させた左右一対のゴム製ロール間に所定の間隙を形成して穂軸を離脱するよう前記移動側ロールを前記固定側ロールから遠ざけるロール間隙形成手段と、
前記左右一対のゴム製ロール間に供給する穀物の種類を設定する品種設定手段と、
前記品種設定手段に大麦が選択された場合、ロール間隙に穂軸付き粒を供給して穂軸の離脱が可能となるように前記ロール間隙形成手段を作動させる制御手段とを備え、
前記ロール近接手段は、支点を中心に回動可能となる回動レバーに前記移動側ロールの移動軸が取り付けられ、機枠に固定されたエアシリンダの可動ロッド部が収縮されると、前記移動側ロールが固定側ロールに近づくよう移動し面接触されるように構成されたものであり、
前記ロール間隙形成手段は、内部にねじ溝が形成され、かつ、前記ロール近接手段の回動レバーを固定側ロールと反対方向へ回動させる押圧ロッドと、該押圧ロッドに内装され、かつ、前記押圧ロッドのねじ溝に螺合させるねじ山が形成されたねじ軸と、該ねじ軸と軸着され、該ねじ軸の回転を行うギアモータとにより構成され、さらに、前記押圧ロッドと前記ねじ軸との供回りを防止するための鍔部と、押圧ロッドの移動量の上限値を検知するリミットスイッチと、前記押圧ロッドの移動量の下限値を検知するためのリミットスイッチと、押圧ロッドに取り付けた移動量検知片と備える、という技術的手段を講じた。
【００１２】
また、請求項２記載の発明は、前記制御手段が、前記ロール間隙形成手段を作動させるときに、ロール間隙の距離を３．０〜５．０ｍｍの範囲に設定したことを特徴とする。
【００１３】
さらに、請求項３記載の発明は、前記品種設定手段に籾が選択された場合には、前記制御手段が、前記ロール間隙形成手段を作動させずに脱ぷ処理を開始することを特徴とする。
【発明の効果】
【００１４】
本発明によれば、回転駆動するゴム製ロールの一方を固定側ロールとし、回転駆動するゴム製ロールの他方を移動側ロールとなした左右一対のゴム製ロールと、該左右一対のゴム製ロールの回転軸の中心を結ぶ線上で前記移動側ロールを前記固定側ロールに近づけて該ロール表面を互いに緊密的に面接触させるロール近接手段と、前記緊密的に面接触させた左右一対のゴム製ロール間に所定の間隙を形成して穂軸を離脱するよう前記移動側ロールを前記固定側ロールから遠ざけるロール間隙形成手段と、前記左右一対のゴム製ロール間に供給する穀物の種類を設定する品種設定手段と、前記品種設定手段に大麦が選択された場合、ロール間隙に穂軸付き粒を供給して穂軸の離脱が可能となるように前記ロール間隙形成手段を作動させる制御手段とを備え、前記ロール近接手段は、支点を中心に回動可能となる回動レバーに前記移動側ロールの移動軸が取り付けられ、機枠に固定されたエアシリンダの可動ロッド部が収縮されると、前記移動側ロールが固定側ロールに近づくよう移動し面接触されるように構成されたものであり、前記ロール間隙形成手段は、内部にねじ溝が形成され、かつ、前記ロール近接手段の回動レバーを固定側ロールと反対方向へ回動させる押圧ロッドと、該押圧ロッドに内装され、かつ、前記押圧ロッドのねじ溝に螺合させるねじ山が形成されたねじ軸と、該ねじ軸と軸着され、該ねじ軸の回転を行うギアモータとにより構成され、さらに、前記押圧ロッドと前記ねじ軸との供回りを防止するための鍔部と、押圧ロッドの移動量の上限値を検知するリミットスイッチと、前記押圧ロッドの移動量の下限値を検知するためのリミットスイッチと、押圧ロッドに取り付けた移動量検知片と、を備える大麦の穂軸除去装置としたので、回転駆動手段により左右一対のゴム製ロールを互いに異なる周速度で、かつ、逆方向に回転させ、次いで、ロール近接手段により左右一対のゴム製ロールを互いに緊密的に面接触させ、さらに、品種設定手段により原料が「大麦」であることを入力すれば、制御手段は左右一対のゴム製ロールにロール間隙を形成するように、ロール間隙形成手段に指令を出してロール間を開拡調節する。
この状態で原料となるビール大麦をロール間隙に供給すれば、左右一対のロール間の周速度差による摩擦により、大麦の穂軸付き粒のうち、穂軸のみが除去された整粒が得られるようになる。すなわち、ビール大麦の穂軸付き粒から穂軸を除去して整粒の歩合を増やすことができ、ひいては、歩留りの向上に寄与することができるのである。
【００１５】
また、請求項２記載の発明によれば、前記制御手段は前記ロール間隙形成手段を作動させるときに、ロール間隙の距離を３．０〜５．０ｍｍの範囲に設定するようにしたので、ビール大麦の穂軸付き粒のうち、穂軸のみを除去した整粒を得る際に、従来の篩処理のみによりビール大麦を精選仕上げしたものに比べて、整粒歩合を５％程度向上させることが可能となった。
【００１６】
さらに、請求項３記載の発明によれば、前記品種設定手段に籾が選択された場合に、前記制御手段が、前記ロール間隙形成手段を作動させずに脱ぷ処理を開始するように制御されるので、一対のゴム製ロールを互いに緊密的に面接触させて籾を供給することで、間隙を形成するよりも、ロール接触長さの長い脱ぷ処理が可能となる。これにより、脱ぷ率の向上、及び外国産の長粒品種の籾を脱ぷする際に有利となる。
【図面の簡単な説明】
【００１７】
【図１】本発明を実施するための装置を説明する概略縦断面図である。
【図２】本装置の回転駆動部の構成を説明する概略背面図である。
【図３】籾とロールの接触長さを説明する図である。
【図４】ビール大麦の穂軸付き粒から穂軸を除去する機能の構成を説明する拡大図である。
【図５】制御構成を示すブロック図である。
【図６】制御内容を説明するフローチャートである。
【図７】実施例を説明するための概略図である。
【図８】ビール大麦に含まれる穂軸付き粒を説明する写真である。
【発明を実施するための形態】
【００１８】
以下、本発明の実施の形態を図面に基づいて説明する。図１は穂軸除去装置の構成を説明する概略縦断面図であり、図２は穂軸除去装置の駆動部の構成を説明する概略背面図である。
【００１９】
図１及び図２において、穂軸除去装置１は、穀物供給口２付きの機枠３と、該機枠３内で回転可能に横設された固定軸４に支持される固定側ロール５と、回転可能に横設された移動軸６に支持される移動側ロール７とからなる左右一対のゴム製ロール５，７と、前記穀物供給口２直下に設けて穀物の流量を調節可能とした振動フィーダ８と、該振動フィーダ８と前記一対のゴム製ロール５，７との間に設けられ、振動フィーダ８からの穀物を前記一対のゴム製ロール５，７間に送り込むための案内シュート９とを備えて構成される。
【００２０】
前記案内シュート９は、所定の傾斜角をもって設けられ、案内シュート９の幅（図１中紙面垂直方向）は、前記ゴム製ロール５，７の幅とほぼ等しいように形成される。そして、前記固定軸４及び移動軸６の中心を結ぶ線と前記案内シュート９の延長線（穀物が投げ出される飛行軌跡）とがほぼ垂直に交わるように構成すると、前記ゴム製ロール５，７に穀物が供給される際、ロール５，７に穀物がはじかれて姿勢が乱れることが少なく、砕粒の発生が抑えられる。
【００２１】
図２は、駆動部の構成を説明する概略背面図である。前記一対のゴム製ロール５，７は、互いに異なる周速度で、かつ、逆方向に回転させるよう配設されている。すなわち、機枠３の中央部には、回転駆動手段としての駆動モータ１０が設けられる一方、機枠３背面側の固定軸４には、前記固定側ロール５を高速で回転させる小径プーリ１１が支持され、機枠３背面側の移動軸６には、前記移動側ロール７を低速で回転させる大径プーリ１２が支持される。符号１７は、アイドラープーリであって、エアシリンダ１８の伸縮によって位置調節が可能となっている。
【００２２】
そして、駆動モータ１０のモータ軸１０ａに軸着したモータプーリ１６と、前記アイドラプーリ１７と、前記小径プーリ１１と、前記大径プーリ１２と、を無端ベルト１９により巻回して駆動系統を形成する。この駆動系統を形成するにあたり、モータプーリ１６から近い側に大径プーリ１２を、遠い側に小径プーリ１１を位置させて無端ベルト１９の巻回を行うと、無端ベルト１９に架かる負荷が軽減されて、無端ベルト１９が切れにくくなり耐久性が向上する。また、図２の矢視に示すように、モータプーリ１６を反時計回りに回転させることで、小径プーリ１１が反時計回りに、大径プーリ１２が時計回りに回転され、一対のゴム製ロール５，７が互いに異なる周速度で、かつ、逆方向（内方向）に回転され、穀物（例えば、籾）をロール５，７間に供給すれば、籾殻がせん断破壊されて脱ぷが行われるようになる。
【００２３】
一方で、前記移動軸６及び大径プーリ１２は、支点軸１３を中心に回動可能となる回動レバー１４上に取り付けられていて、さらに、該回動レバー１４の先端部１４ａには、機枠３に固定されたエアシリンダ１５の可動ロッド部１５ａ(図４)が接続されている。これはロール近接手段であって、前記エアシリンダ１５の可動ロッド部１５ａが収縮されると（図２の二点鎖線部分）、前記移動側ロール７が、前記固定軸４及び移動軸６の中心を結ぶ線上で前記固定側ロール５方向に近づき、移動側ロール７及び固定側ロール５の表面を互いに緊密的に面接触させることができるものである。
【００２４】
上述のように、一対のゴム製ロール７，５（移動側ロール７及び固定側ロール５）の表面を互いに緊密的に面接触させて脱ぷすることは、原料となる穀物（例えば、籾）がロールに接触する長さが増大し、脱ぷ率が向上することになる。また、外国産の米粒の長さが長い長粒品種の籾を脱ぷする際にはより好適な脱ぷ率が得られる。これを図３に基づき説明する。
【００２５】
図３は籾とロールの接触長さを説明する図であり、図３（ａ）はロール間隙を形成して脱ぷするときの図であり、図３（ｂ）はロール間隙の距離を０（緊密的に面接触させる）として脱ぷするときの図である。図３（ａ）において、ロール半径をｒ、ロール間隙をｃ、籾の厚さをｄとすると、籾がロールに接触している長さＬは近似的に、
【数１】
0006701546.tif 000002
【００２６】
として与えられる（農業機械学・３  農産機械学，文永堂出版株式会社発行，昭和５５年７月１０日初版発行，ｐ９，川村登 著者代表）。
【００２７】
ここで、図３（ａ）において、ロール間隙の距離ｃを０．５ｍｍ〜１．２ｍｍに設定したときのロール接触長さＬと、図３（ｂ）において、ロール間隙の距離ｃをほぼ０ｍｍに設定したときのロール接触長さＬ’を比較すれば、図３（ｂ）のロール間隙ｃをほぼ０ｍｍに設定したときのロール接触長さＬ‘のほうが長いことが分かる。よって、一対のゴム製ロール７，５の表面を互いに緊密的に面接触させるほうが、脱ぷ率の向上、及び外国産の長粒品種の籾を脱ぷする際は有利である。
【００２８】
次に、本発明の要部であるビール大麦の穂軸付き粒から穂軸を除去する機能を説明する。図２を参照すれば、前記回動レバー１４をロール同士を緊密的に面接触させるエアシリンダ１５の近傍に、前記一対のゴム製ロール７，５を面接触状態からロール同士を離間させ、ロール間に間隙を形成するロール間隙形成手段２０が設けられる。該ロール間隙形成手段２０は、図４を参照すれば、内部にねじ溝２１ａが形成され、かつ、前記回動レバー１４を反時計方向へ回動させる押圧ロッド２１と、該押圧ロッド２１に内装され、かつ、前記押圧ロッド２１のねじ溝２１ａに螺合されるねじ山２２ａが形成されたねじ軸２２と、該ねじ軸２２と軸着され、該ねじ軸２２の回転を行うギアモータ２３とにより構成される。符号２４は、前記押圧ロッド２１と前記ねじ軸２２との供回りを防止するための鍔部であり、符号２５は押圧ロッド２１の移動量の上限値を検知するリミットスイッチであり、符号２６は押圧ロッド２１の移動量の下限値を検知するリミットスイッチあり、符号２７は押圧ロッド２１に取り付けた移動量検知片である。
【００２９】
図５は駆動モータの駆動構成、穀物の品種設定手段、ロール近接手段及びロール間隙形成手段を作動させる制御構成を説明するブロック図である。
【００３０】
図５において、符号３０は各部を制御する制御部であり、例えば、中央演算処理装置（ＣＰＵ）、該ＣＰＵの作業領域としてデータの読み書きのできる第１記憶媒体（ＲＡＭ）、前記ＣＰＵで実行される基本的なプログラムを記録する読み出し専用の第２記憶媒体（ＲＯＭ）、ハードディスク装置や不揮発性のフラッシュメモリ装置からなる第３の記憶媒体、及びタッチパネル等の入力装置兼表示装置等を備えて構成される。
【００３１】
そして、電源スイッチ２９、穀物の品種を設定する品種設定スイッチ３１、及びロール間隙開度調節スイッチ３２が入力インターフェース３３を介して制御部３０と接続される。このような設定スイッチ類のほかに、押圧ロッド２１の移動量の上限値を検知するリミットスイッチ２５及び下限値を検知するリミットスイッチ２６が入力インターフェース３３を介して制御部３０と接続される。
【００３２】
出力インターフェース３４の出力側には、ゴム製ロール５，７を回転駆動する駆動モータ１０、移動側ロール７を固定側ロール５に近づけてロール表面を互いに緊密的に面接触させるエアシリンダ１５、及びロール同士を離間させ、ロール間に間隙を形成するロール間隙形成用のギアモータ２３が接続される。
【００３３】
次に、図６に示すフローチャートに基づいて制御内容を説明する。まず、ステップ１で穂軸除去装置１の電源スイッチをオンするとともに（ステップS１）、駆動モータ１０の電源をオンとして駆動モータ１０を回転駆動する（ステップS２）。次に、大麦の穂軸の除去処理を行う場合や籾を脱ぷ処理を行う場合に備えて、ゴム製ロール５，７を互いに緊密的に面接触させる（ステップS３）。この場合、エアシリンダ１５のオン操作により、エアシリンダ１５の可動ロッド部１５ａが収縮され、移動側ロール７が前記固定側ロール５方向に近づき、ロール同士が互いに緊密的に面接触されながらロールが回転駆動されるようになる。この状態で、原料が「大麦」であるか「籾」であるかの選択が行われる（ステップS4）。この選択においては、作業者があらかじめ操作した品種設定スイッチ３１に基づいて「大麦」か「籾」かの検知が行われるか、あるいは、その他の品種判定センサにより「大麦」か「籾」かの自動判定を行うことができる。
【００３４】
そして、原料の品種が「大麦」であった場合には、ゴム製ロール５，７にロール間隙を形成するように、ロール間隙形成手段２０に指令が出されてロール５，７間を開拡調節される（ステップS５）。すなわち、タイマーを作動させてギアモータ２３を所定時間作動させると（ステップS６）、ねじ軸２２が所定時間回転され、これに伴い押圧ロッド２１が伸長し（図４では押圧ロッド２１は図面左方向に伸長する。）、回動レバー１４がエアシリンダ１５の引っ張り力に抗して、回動レバー１４が反時計方向へ回動させる方向に押し付けられる。これにより、ロール５，７間には３ｍｍ〜５ｍｍの範囲で間隙が形成されることになる。
【００３５】
なお、本実施形態では、ロール間隙の形成につき、タイマーを使ってギアモータ２３を駆動させたが、これに限定されることはなく、ロール間隙の距離を測定・監視する距離センサやリミットスイッチなど適宜なものを使用してもよい。
【００３６】
また、押圧ロッド２１の移動量検知片２７が、上限値を検知するリミットスイッチ２５や下限値を検知するリミットスイッチ２６を検知するような開拡調節である場合は、移動量が多すぎるという問題が生じる。このときは、ギアモータ２３への通電を遮断し、ギアモータ２３への無理な過負荷が生じないような工夫を施すとよい。
【００３７】
しかして、原料を供給するシャッター２８を開放すれば（ステップS７）、原料となる大麦がロール５，７間に供給され、大麦の穂軸付き粒のうち、穂軸のみが除去された整粒が得られるようになる（ステップS８）。これは、ビール大麦の穂軸付き粒から穂軸が除去されて整粒の歩合を増やすことにつながり、ひいては、歩留りの向上に寄与することができるものとなる。
【００３８】
ステップS４において、原料の品種が「籾」であった場合には、ゴム製ロール５，７へのロール間隙の形成は行わない。なぜなら、ゴム製ロール５，７の表面を互いに緊密的に面接触させて脱ぷすることは、原料となる籾がロールに接触する長さが増大し、脱ぷ率が向上することになり、また、米粒の長さが長い外国産の長粒品種の籾を脱ぷする際には好適となるからである。
【００３９】
この状態で原料を供給するシャッター２８を開放すれば（ステップS７）、原料となる籾がロール５，７間に供給され、籾とロール５，７の接触面に発生する接触圧力と、ロール５，７の周速度差による摩擦力で籾殻がせん断破壊されて脱ぷされ、玄米が得られるようになる（ステップS８）。
【実施例】
【００４０】
以下、実施例により本発明をさらに具体的に説明する。しかし、本発明は以下の実施例に限定されるものではない。また、実施例では主としてビール大麦の実施例を採り上げているが、これに限定されるものでもない。
【００４１】
従来、ビール大麦の乾燥・調製作業では、籾摺を行わず、選別網筒のみの篩処理により仕上げていた。米麦改良協会の指導では、整粒歩合の場合９５％以上に仕上げることが求められていたが、実際には、穂軸付き粒が整粒から除去されていて、整粒歩合としては９０％程度であった。
【００４２】
本実施例として、ＪＡおやま  国分寺ライスセンター（栃木県下野市小金井）にて整粒歩合の評価を行った。籾摺り機は、サタケ製  型式：ＨＰＳ１００ＫＥ  １０インチ型籾摺り機に、一対のゴム製ロール間に所定の間隔を有するようなロール間隙形成手段を付加した。ロール間は３〜５ｍｍに設定し、穂軸付き粒を供給して穂軸の離脱を行った（図７参照）。
【００４３】
その結果、除去対象となっていた穂軸付き粒から穂軸が除去され、整粒を確保することが可能となり、従来、籾摺を行わず、選別網筒のみの篩処理により仕上げたものに比べて、整粒歩合が５％程度向上することが分かった（すなわち、整粒歩合９５％を確保することができるようになった。）。
【産業上の利用可能性】
【００４４】
本発明では、大麦の穂軸付き粒から穂軸を除去して整粒の歩合を増やし、歩留りの向上に寄与することができる。
【符号の説明】
【００４５】
１    穂軸除去装置
２    穀物供給口
３    機枠
４    固定軸
５    固定側ロール（ゴム製ロール）
６    移動軸
７    移動側ロール（ゴム製ロール）
８    振動フィーダ
９    案内シュート
１０    駆動モータ
１１    小径プーリ
１２    大径プーリ
１３    支点軸
１４    回動レバー
１５    エアシリンダ
１６    モータプーリ
１７    アイドラープーリ
１８    エアシリンダ    
１９    無端ベルト
２０    ロール間隙形成手段
２１    押圧ロッド
２２    ねじ軸
２３    ギヤモータ
２４    鍔部
２５    リミットスイッチ
２６    リミットスイッチ
２７    移動量検知片
２８    シャッター
２９    電源スイッチ
３０    制御部
３１    品種設定スイッチ
３２    ロール間隙開度調節スイッチ
３３    入力インターフェース
３４    出力インターフェース
【図１】
0006701546.tif 000003
【図２】
0006701546.tif 000004
【図３】
0006701546.tif 000005
【図４】
0006701546.tif 000006
【図５】
0006701546.tif 000007
【図６】
0006701546.tif 000008
【図７】
0006701546.tif 000009
【図８】
0006701546.tif 000010